(57)【要約】      （修正有）【課題】主要回路基板部と分離可能な分割基板部からなる回路基板において、分割基板部を分離するか否かを選択できるとともに、分割基板部を分離するかしないかに拘らず、主要回路基板部と分割基板部とを簡単かつ確実に接続できるようにする。【解決手段】主要回路基板部１に分割部６によって分離可能な分割基板部８を形成する。主要回路基板部１と分割基板部８の各回路パターン２，１５にジャンパ線１０とコネクタ１６とが共通して接続可能な接続部２０，２１を形成する。これにより、輸送コストを抑えるために、チューナ７を実装した分割基板部８を主要回路基板部１から切り離し、工場などで再び主要回路基板部１と接続する場合、コネクタ１６によって主要回路基板部１と分割基板部８を接続する。一方、分割基板部８を主要回路基板部１から切り離すことなく一体化する場合、主要回路基板部１と分割基板部８とをジャンパ線１０で接続することが可能となる。【選択図】図１
2006253610.tif 000002
【特許請求の範囲】
【請求項１】
電子部品が実装される回路基板を筐体に配置した回路基板を設けた電子機器であって、この回路基板は主要回路基板部と該主要回路基板部から分離可能な分割基板部とを備え、その分割基板部を必要に応じて主要回路基板部から切離可能に構成し、前記分割基板部を分離することなく回路基板として一体化して使用する場合には、前記分割基板部と前記主要回路基板部とをジャンパ線で接続して電気的接続をとり、前記分割基板部を前記主要回路基板部から切り離して使用する場合には、前記回路基板部と前記分割基板部との各々に着脱自在なコネクタを挿入して両方のコネクタ間をケーブルにより電気的に接続するように構成し、そのために前記回路基板部と前記分割基板部には前記コネクタと前記ジャンパ線との共通の回路パターンを設けたことを特徴とする回路基板を備えた電子機器。
【請求項２】
前記主要回路基板部と分割基板部の境界部にミシン目状の穴と溝部によって構成される分割部を形成するとともに、少なくとも前記共通回路パターンを備えた主要回路基板部と分割基板部の境界部に位置して相対向する複数の分割部を形成し、分割基板部を切り離す際、対向する分割部で囲まれた部分を切り離し可能な捨て領域部分としたことを特徴とする請求項１記載の回路基板を備えた電子機器。
【請求項３】
前記回路基板がテレビジョン受像機の筐体に配置され、分割基板部には電子部品としてチューナが実装され、このチューナが前記ジャンパ線又はコネクタを介して前記主要回路基板部の回路パターンと電気的に接続されていることを特徴とする請求項１又は請求項２記載の回路基板を備えた電子機器。
【発明の詳細な説明】
【技術分野】
【０００１】
本発明は、電子部品が実装される回路基板を筐体に配置した回路基板を設けた電子機器、特に、主要回路基板部から分離可能な分割基板部を備え、必要に応じて主要回路基板部から分割基板部を切り離す仕様と、主要回路基板部と分割基板部とを一体化する仕様が選択可能な電子機器に備えられる回路基板に関する。
【背景技術】
【０００２】
一般的に、例えば、テレビジョン受像機などの電子機器内部にはチューナを含む多数の電子部品を実装した回路基板が配置され、近年、この種の電子機器は、製造工程において回路基板に部品を実装する工程と最終完成品の組み立てを異なる工場で行うことが増えている。このため、実装基板を組み立て工場に輸送する際、その輸送時のコスト削減のために実装基板を分割し梱包サイズを小さくしてコスト抑制を図ることが求められている。
【０００３】
そこで、このような課題に対処するために特許文献１においては、電子機器に設置される回路基板にミシン目状の穴と溝部から成る分割部を形成し、この分割部から基板を分離可能に構成した回路基板が開示されている。
【０００４】
【特許文献１】特開２００３−２１８４７７号公報
【発明の開示】
【発明が解決しようとする課題】
【０００５】
しかし、特許文献１に示す回路基板においては、回路基板と分割基板とをジャンパ線で接続し、分割基板を回路基板から切り離す際、ジャンパ線を概ね直角に折曲し、回路基板に対して分割基板を直交させて取り付けるものであって、その基板同士の物理的な動きに対して自由度をもたすことができ、基板分割や折り曲げ・位置決め時において容易に作業を行える回路基板を提供することを目的とするものであって、回路基板と分割基板とがジャンパ線とで接続されていることから、回路基板から分割基板を完全に切り離すことができない。このため、例えば、回路基板から切り離し可能な分割基板上に例えば寸法的に高さのある部品や重量的に嵩張る電子部品を実装し、輸送時において、分割基板に電子部品を実装した状態で回路基板から切り離し、組立工場などの再び回路基板と分割基板とを接続することが不可能であった。すなわち、輸送コストを削減するために、回路基板から一旦、分割基板を切り離し、再び回路基板と分割基板とを接続する場合、回路基板と分割基板とは着脱可能なコネクタで接続した方が便利であり、一方、基板の製造から筐体への組み付けを一貫して行う場合は、回路基板から分割基板を切り離さずに、一体化したほうが都合がよい。この場合、回路基板と分割基板とは、特許文献１で示すジャンパ線で接続したほうがコスト的にも製造加工上でも容易である。しかし、前述した特許文献１の回路基板は、回路基板と分割基板との接続手段がジャンパ線であるため、回路基板と分割基板とをコネクタあるいはジャンパ線かを必要に応じて選択することが困難である。
【０００６】
本発明は、上記課題に鑑みてなされたものであり、主要回路基板部から分離可能な分割基板を備え、分割基板を分離するか否かを選択できるとともに、分割基板を分離するかしないかに拘らず、主要回路基板部と分割基板とを簡単かつ確実に接続することが可能な回路基板を備えた電子機器を提供することを目的とする。
【課題を解決するための手段】
【０００７】
請求項１に係る回路基板を備えた電子機器は、電子部品が実装される回路基板を筐体に配置した回路基板を設けた電子機器であって、この回路基板は主要回路基板部と該主要回路基板部から分離可能な分割基板部とを備え、その分割基板部を必要に応じて主要回路基板部から切離可能に構成し、前記分割基板部を分離することなく回路基板として一体化して使用する場合には、前記分割基板部と前記主要回路基板部とをジャンパ線で接続して電気的接続をとり、前記分割基板部を前記主要回路基板部から切り離して使用する場合には、前記回路基板部と前記分割基板部との各々に着脱自在なコネクタを挿入して両方のコネクタ間をケーブルにより電気的に接続するように構成し、そのために前記回路基板部と前記分割基板部には前記コネクタと前記ジャンパ線との共通の回路パターンを設けたことを特徴とする。
【０００８】
請求項１の構成によれば、例えば、基板作製と組立を別の工場で行う必要がある場合、主要回路基板部から分割基板部を切り離し、主要回路基板部と分割基板部とは着脱自在なコネクタを介して接続する。一方で国内で一貫して基板の製造から組立まで行う場合には、主要回路基板部から分割基板部を切り離すことなく主要回路基板部と分割基板部とを一体化したままジャンパ線を介した電気的な接続が可能となる。
【０００９】
請求項２に係る回路基板を備えた電子機器は、請求項1記載の回路基板を備えた電子機器において前記主要回路基板部と分割基板部の境界部にミシン目状の穴と溝部によって構成される分割部を形成するとともに、少なくとも前記共通回路パターンを備えた主要回路基板部と分割基板部の境界部に位置して相対向する複数の分割部を形成し、分割基板部を切り離す際、対向する分割部で囲まれた部分を切り離し可能な捨て領域部分としたことを特徴とする。
【００１０】
請求項２の構成によればミシン目状の穴と溝部によって構成される分割部に完全に切り離しが可能な捨て領域を備えたので、主要回路基板部と分割基板部とを分割して切り離す際、分割部で囲まれた捨て領域を切り離すことによって、主要回路基板部と分割基板部との境界部分に捨て領域に対応する広い間隔が形成され、主要回路基板部から一旦、分割基板部を切り離して再びコネクタを介して主要回路基板部と接続する際、分割基板部の分割時に破断部分に形成される不規則凹凸部が相互に接触することはない。これにより、分割基板部を正確に元の位置に配置することが可能となり、分割基板部を切り離す場合と分割基板部を切り離さないで主要回路基板部と一体化した場合とで回路基板に対する分割基板の位置は変わらない。
【００１１】
請求項３に係る回路基板を備えた電子機器は、請求項１又は請求項２記載の回路基板を備えた電子機器において、前記回路基板がテレビジョン受像機の筐体に配置され、分割基板部には電子部品としてチューナが実装され、このチューナが前記ジャンパ線又はコネクタを介して前記主要回路基板部の回路パターンと電気的に接続されていることを特徴とする。
【００１２】
請求項３の構成によれば、分割基板部には比較的高さ寸法のあるチューナを実装するので、チューナを実装する分割基板部を分割すれば輸送する場合、その主要回路基板部の薄型化が可能であり、回路基板の組み立てに際し、分割基板部を切り離した場合にはコネクタを介し、分割する必要が無い場合にはジャンパ線を用いてチューナと主要回路基板部との接続が可能となる。
【発明の効果】
【００１３】
請求項１の発明の回路基板を備えた電子機器によれば、電子部品が実装される回路基板を筐体に配置した回路基板を設けた電子機器であって、この回路基板は主要回路基板部と該主要回路基板部から分離可能な分割基板部とを備え、その分割基板部を必要に応じて主要回路基板部から切離可能に構成し、前記分割基板部を分離することなく回路基板として一体化して使用する場合には、前記分割基板部と前記主要回路基板部とをジャンパ線で接続して電気的接続をとり、前記分割基板部を前記主要回路基板部から切り離して使用する場合には、前記回路基板部と前記分割基板部との各々に着脱自在なコネクタを挿入して両方のコネクタ間をケーブルにより電気的に接続するように構成し、そのために前記回路基板部と前記分割基板部には前記コネクタと前記ジャンパ線との共通の回路パターンを設けたものであるから、例えば基板作製と組立を別の工場で行う必要がある際、高さ寸法のある電子部品を実装した分割基板部を主要回路基板部から切り離すことで、回路基板の梱包に伴う手間や輸送コストを削減することができ、分割基板部を主要回路基板部と接続する場合には、コネクタを介して分割基板部に実装した電子部品と主要回路基板部との接続も簡単かつ容易に行うことができる。一方、国内で一貫して基板の製造から組立まで行う場合には、一体化したままジャンパ線を用いて電気的な接続が可能となるので作業効率の向上を図ることができる。
【００１４】
請求項２の発明の回路基板を備えた電子機器によれば、請求項１記載の回路基板を備えた電子機器において、前記主要回路基板部と分割基板部の境界部にミシン目状の穴と溝部によって構成される分割部を形成するとともに、少なくとも前記共通回路パターンを備えた主要回路基板部と分割基板部の境界部に位置して相対向する複数の分割部を形成し、分割基板部を切り離す際、対向する分割部で囲まれた部分を切り離し可能な捨て領域部分としたものであるから、分割基板部を分割した際に破断部分に形成される不規則凹凸部が相互に接触することにより起こり得る干渉を防止して分割基板部を正確に元の位置に配置することができ、分割基板部を分割する、しないに拘らず、回路基板を組み付ける筐体側の構成、例えば、分割基板部と回路基板に形成するビス穴と対応する筐体側のねじ穴の位置や分割基板に実装した電子部品の端子類の導出孔などの位置を変えることなく共通化できるため、汎用性にも優れるとともに、作業効率の向上及びコストの削減を図ることができる。
【００１５】
請求項３の発明の回路基板を備えた電子機器によれば、請求項１又は請求項２の電子機器に備えられる回路基板において前記回路基板がテレビジョン受像機の筐体に配置され、分割基板部には電子部品としてチューナが実装され、このチューナが前記ジャンパ線又はコネクタを介して前記主要回路基板部の回路パターンと電気的に接続されているものであるから、分割基板部を分割して用いる際に、比較的高さ寸法のあるチューナを実装した分割基板部を輸送することができ梱包サイズを小さくすることができるので、輸送時のコストを削減することができ、また分離接続をした際はコネクタを介し、分割する必要が無い時にはジャンパ線を用いて電気的な接続を容易に行うことできるので作業効率の向上ができる。
【発明を実施するための最良の形態】
【００１６】
以下、本発明を実施するための最良の形態としての実施例を添付図面を参照しながら説明する。もちろん本発明はその発明の趣旨に反しない範囲で、実施例において説明した以外の構成のものに対しても容易に適用可能なことは説明するまでもない。
【００１７】
図１乃至図８は本発明の一実施例を示す回路基板の正面図であり、これら図１乃至図８を参照しながら本発明の電子機器に備えられる回路基板の特徴的な構造について説明する。なお、本実施例においてはテレビジョン受像機に筐体に収納する回路基板に適用した場合について説明する。回路基板は主要回路基板部１と分割基板部８からなり、主要回路基板部１、分割基板部８には銅箔などによって回路パターン２が形成され、その回路パターン２は、各種電子部品３を半田付けする接続部（図示せず）を除いて絶縁層（図示せず）で被覆されている。また、主要回路基板部１の一辺には溝部５ａと、ミシン目５ｂとから成る分割部６が形成され、この分割部６で囲まれた部分にチューナ７を実装する分割基板部８が形成されている。本実施例においては、分割部６が分割基板部８の一側縁に臨んでコ字型に形成され、必要に応じて分割部６から主要回路基板部１から切り離すことが可能である。例えば、国内で回路基板を生産し、これを海外の工場で電子機器（テレビジョン受像機）を組み立てる場合、一旦、チューナ７を実装した分割基板部８を主要回路基板部１から切り離し、海外の工場で再び主要回路基板部１と接続する。この場合、主要回路基板部１と分割基板部８は着脱自在なコネクタ１６で接続する。また、国内で回路基板を製造して国内で電子機器（テレビジョン受像機）を組み立てる場合、分割基板部８を主要回路基板部１から切り離すことなく一体化する。この場合、主要回路基板部１と分割基板部８はジャンパ線１０で接続する。すなわち、分割基板部８にはチューナ７と電気的に接続される回路パターン１５が形成され、この回路パターン１５と前記回路基板１に形成する回路パターン２とをジャンパ線１０又はコネクタ１６で接続するものであって各回路パターン２，１５には、ジャンパ線１０とコネクタ１６とが共通して接続可能な共通の回路パターンとして接続部（ランド）２０，２１を設け、この接続部２０，２１にジャンパ線１０の挿通孔２２とコネクタ端子（図示せず）の挿通孔２３とをそれぞれ対向させて形成している。また、これら接続部２０，２１が形成される主要回路基板部１と分割基板部８との境界部分には、前記分割部６を構成する二列の溝部５ａが平行して形成され、これら二本の溝部５ａとミシン目５ｂとで囲まれた部分は切離しが可能な捨て領域２７となっている。
【００１８】
以上のように構成される回路基板は、例えば、回路基板を国内で製造し、これを国内でテレビジョン受像機３０の筐体３１に組み込んで組み立てる場合、分割基板部８を主要回路基板部１から切り離すことなく一体化する。この場合、各基板部１，８の接続部２０，２１に形成する挿通孔２２にジャンパ線１０の両端を挿入して各接続部２０，２１に半田付けする。これにより、主要回路基板部１と分割基板部８に形成する回路パターン２，１５がジャンパ線１０によって電気的に接続され、主要回路基板部１に形成する回路パターン２と分割基板部８に実装するチューナ７とが電気的に接続される。一方、例えば、国内で製造した回路基板を国外でテレビジョン受像機３０の筐体３１に組み込む場合、主要回路基板部１に形成する分割部６によって分割基板部８を主要回路基板部１から一旦、切り離す。そして、各基板部１，８の接続部２０，２１に形成する挿通孔２３にコネクタ端子を挿入して各接続部２０，２１に半田付けする。そして、再び分割基板部８を主要回路基板部１の元の位置に配置し、各基板部１，８に装着したコネクタ１６にコネクタケーブル１７を接続し、分割基板部８と主要回路基板部１とを電気的に接続する。また、主要回路基板部１及び分割基板部８は筐体３１に形成する図示しないねじによって固定されているが、分割基板部８は分割する場合であっても分割しない場合であっても取り付け位置には変更がないため、分割基板部８を分割する、しないに拘らず主要回路基板部１及び分割基板部８に形成するビス穴３５を共通化できることは言うまでもない。また、分割基板部８を一旦、切り離して再び主要回路基板部１における元の位置に装着する場合、接続部２０，２１が形成される主要回路基板部１と分割基板部８との境界部分には、分割部６として二列の溝部５ａとがミシン目５ｂが平行して形成され、これら二本の溝部５ａとミシン目５ｂとで囲まれた部分は切離しが可能な捨て領域２７となっていることから、分割基板部８を元の位置に配置する際、分割部６の破断部分が相互に干渉するといったトラブルを回避することができる。すなわち、図６に示すように、分割部６の部分で分割基板部８を切り離す際、ミシン目５ｂと溝部５ａを含む分割部６によって分割された破断部分には、不規則な凹凸となり、分割基板部８を元の位置に配置した際、主要回路基板部１と分割基板部８の破断部を相互に一致させることは困難であり、分割基板部８を元の位置に配置した際、破断部にズレが生じ易い。このため、分割基板部８を主要回路基板部１の破断部が相互に干渉し、分割基板部８の取付けに支障が生じるが、本実施例においては、主要回路基板部１と分割基板部８の間に捨て捨て領域２７を形成することで、主要回路基板部１と分割基板部８の間に形成する捨て領域２７によって主要回路基板部１と分割基板部８の間に広い間隔２５が形成され、分割基板部８を元の位置に配置した際、主要回路基板部１との干渉を防止して正確かつ確実に分割基板部８を元の位置に配置することができる。すなわち、主要回路基板部１に対する分割基板部８の位置関係は、分割基板部８を分割する、しないに拘らず同一である。
【００１９】
以上のように本実施例においては、主要回路基板部１の一辺には溝部５ａと、ミシン目５ｂとから成る分割部６が形成され、この分割部６で囲まれた部分にチューナ７を実装する分割基板部８が形成され、例えば、国内で回路基板を生産し、これを海外の工場で電子機器（テレビジョン受像機）を組み立てる場合、一旦、チューナ７を実装した分割基板部８を主要回路基板部１から切り離し、海外の工場で再び主要回路基板部１とコネクタ１６を介して接続する。このように比較的高さ寸法のあるチューナ７を実装した分割基板部８を主要回路基板部１から切り離した状態で主要回路基板部１とは別に輸送することが可能となるから、回路基板の梱包に伴う手間や輸送コストを削減することができ、一方、国内にて一貫して回路基板１の製造から電子機器（テレビジョン受像機３０）の組立を行う場合には、分割基板部８を主要回路基板部１から切り離すことなく一体化し、主要回路基板１と分割基板部８とはジャンパ線１０で接続する。このように、必要に応じて主要回路基板部１から分割基板部８を切り離す、あるいは、切り離さないかで主要回路基板部１と分割基板部８との接続手段をコネクタ１６又はジャンパ線１０かを選択することが可能である。すなわち、主要回路基板部１と分割基板部８の各回路パターン２，１５には、ジャンパ線１０とコネクタ１６とが共通して接続可能な接続部（ランド）２０，２１が形成され、ジャンパ線１０とコネクタ１６の何れの接続手段を用いる場合であっても、主要回路基板部１と分割基板部８との接続が可能である。また、分割基板部８を一旦、主要回路基板部１から切り離して、再び元の位置に配置して主要回路基板部１と接続する際、着脱可能なコネクタ１６によって主要回路基板部１と分割基板部８とを接続することによって、主要回路基板部１と分割基板部８との接続も簡単かつ容易に接続することができる。さらに、接続部２０，２１が形成される主要回路基板部１と分割基板部８との境界部分には、前記分割部６を構成する二列の溝部５ａが平行して形成され、これら二本の溝部５ａとミシン目６ｂとで囲まれた部分は切離しが可能な捨て領域２７となっているため、分割基板部８を切り離して再び元の位置に配置した際、捨て領域２７によって主要回路基板部１と分割基板部８との間に広い間隔２５が形成されることから、分割基板部８を主要回路基板部１の破断部が相互に干渉することなく、正確かつ確実に分割基板部８を元の位置に配置することができる。これにより、分割基板部８を分割する、しないに拘らず、回路基板部８を組み付ける筐体３１側の構成、すなわち、分割基板部８と主要回路基板部１に形成するビス穴３５と対応するねじ穴の位置やチューナ７のアンテナ端子を外部に引き出すために導出孔の位置などを変えることなく共通化できるため、汎用性にも優れるとともに、作業効率の向上及びコストの削減を図ることができる。
【００２０】
以上、本発明の一実施例について詳述したが、本発明は、前記一実施例に限定されるものではなく、本発明の要旨の範囲内で種々に変形実施が可能である。例えば、前記実施例では、片面構造で構成される回路基板を用いた例を示しているが、両面基板や多層基板であってもよい。また上記実施例ではジャンパ線やコネクタを用いて回路基板１と分割基板８の接続を行っているが、電気的に接続されるならジャック等を用いてもよい。さらに、分割基板に実装する電子部品についてもチューナに限定されるものではなく、各種の電子部品を実装してもよく、また、電子機器としてテレビジョン受像機を示したが、これに限らず各種家庭用電子機器に適用可能である。
【図面の簡単な説明】
【００２１】
【図１】本発明の一実施例を示す回路基板の平面図であり、分割基板部を切り離していない状態を示している。
【図２】同上、主要回路基板部と分割基板部に接続部を示す拡大平面図である。
【図３】同上、主要回路基板部と分割基板部をジャンパ線で接続した状態を示す回路基板を示す平面図である。
【図４】同上、主要回路基板部から分割基板部を切り離した状態を示す平面図である。
【図５】同上、分割基板部と主要回路基板部との接続状態を示す回路基板を示す斜視図である。
【図６】同上、分割部の拡大図であり、図６（ａ）は分割部を切り離す前、図６（ｂ）は分割部を切り離した状態を示している。
【図７】同上、分割基板部と主要回路基板部との接続状態を示す回路基板を示す平面図である
【図８】同上、筐体への回路基板の取付状態を示すテレビジョン受像機の背面図である。
【符号の説明】
【００２２】
１  主要回路基板部
２，１５  回路パターン
５ａ  溝部
５ｂ  ミシン目
６  分割部
７  チューナ
８  分割基板部
１０  ジャンパ線
１６  コネクタ
２０，２１  接続部（共通回路パターン）
２７  捨て領域
３１  筐体
【図１】
2006253610.tif 000003
【図２】
2006253610.tif 000004
【図３】
2006253610.tif 000005
【図４】
2006253610.tif 000006
【図５】
2006253610.tif 000007
【図６】
2006253610.tif 000008
【図７】
2006253610.tif 000009
【図８】
2006253610.tif 000010